(57)【要約】      （修正有）【課題】閉戸時における気密保持用シール材に係り、特に引戸の戸先、戸尻、または召し合わせ部の気密性を保つに最適なシール材を提供する。【解決手段】戸１の閉止時に相手側に接触して隙間を埋め、気密性を保持するためのシール材１０であって、弾性および柔軟性を有する資材からなり、戸または相手側のいずれかに形成される凹溝１１内に可及的密に嵌着され戸の大きさに対応する長さを有する基部１２と、この基部に一体的に連設され気密を保つよう相手側に密接するシール部１３とで構成し、該シール部１３のシール面１５に滑面処理を施す。上記により、シール材の凹溝内への嵌着時にその嵌着深さを最適な状態に微調整することが簡単かつ確実に行え、シール部の突出量を気密性保持に最適値に設定することができる。又、閉戸時の相手側との接触時に滑りをよくなり、気密性を損なうことなしに戸の開閉が軽くなる。【選択図】図４
0003162947.tif 000002
【実用新案登録請求の範囲】
【請求項１】
戸の閉止時に相手側に接触して隙間を埋め、気密性を保持するためのシール材であって、弾性および柔軟性を有する資材からなり、戸または相手側のいずれかに形成される凹溝内に可及的密に嵌着され戸の大きさに対応する長さを有する基部と、この基部に一体的に連設され気密を保つよう相手側に密接するシール部とで構成され、該シール部のシール面に滑面処理が施されていることを特徴とする戸の気密保持用シール材。
【請求項２】
前記相手側が建屋の開口部縦枠の側面である請求項１記載の戸の気密保持用シール材。
【請求項３】
前記相手側が建屋の壁面である請求項１記載の戸の気密保持用シール材。
【請求項４】
前記相手側が引戸同士の召し合わせ部である請求項１記載の戸の気密保持用シール材。
【請求項５】
前記基部は複数枚のプレートを剥離可能に積層した積層構造とされ、該プレートを剥離することで基部の厚さを調整可能とされている請求項１〜４のいずれか１項記載の戸の気密保持用シール材。
【請求項６】
前記基部を構成するプレートの接合面に長手方向に複数条の突状筋目が形成されており、この突状筋目により接合されている請求項５記載の戸の気密保持用シール材。
【請求項７】
前記シール部は中空構造とされている請求項１〜６のいずれか１項記載の戸の気密保持用シール材。
【請求項８】
前記シール部は、その外面が一側が低く他側が高くなるよう傾斜形状とされている請求項７記載の戸の気密保持用シール材。
【請求項９】
前記シール部は断面が円形の中空構造とされている請求項７記載の戸の気密保持用シール材。
【請求項１０】
前記シール部は舌片状に形成され、相手側に対し変形して摺接するようになされている請求項１〜６のいずれか１項記載の戸の気密保持用シール材。
【請求項１１】
前記シール部のシール面の滑面処理は、ポリウレタン系樹脂を塗着することにより滑面とされている請求項１〜１０のいずれか１項記載の戸の気密保持用シール材。
【請求項１２】
前記シール部の滑面処理は摩擦係数が３．０以下とされている請求項１〜１１のいずれか１項記載の戸の気密保持用シール材。
【請求項１３】
引戸の戸先または戸尻の縦方向に凹溝が形成され、戸の閉止時に相手側である建屋側の枠部にシール材のシール部が接触して気密性を保つようになされている請求項１記載の戸の気密保持用シール材。
【考案の詳細な説明】
【技術分野】
【０００１】
本考案は、閉戸時における気密保持用シール材に係り、特に引戸の戸先、戸尻、または召し合わせ部の気密性を保つに最適なシール材に関する。
【背景技術】
【０００２】
間仕切りの開口部分を開閉する引戸や回転扉では、閉戸時に開口部の側枠や壁面と接する部分（以下これを「相手側」と総称する）に隙間が生じると閉戸時における気密性または遮音性が損われ、冷暖房効果が減退し、空調効率の低下を招くことになる。
【０００３】
そこで従来から、引戸の場合、戸先、戸尻、召し合わせ部などにシール材を設置し、閉戸時に相手側との間に隙間が生じないようになされている。
【０００４】
上記シール材としては従来から種々提供されているが、一般にはゴム、合成ゴム、プラスチック等の柔軟な資材により形成されており、その断面形状はシール材の設置箇所に応じて適宜選択されている。
【０００５】
図１に示す引戸１、１の場合、最も適用範囲の広い戸先１ａ、戸尻１ｂ、召し合わせ部１ｃの各部に対応するシール材２による気密保持手段は、図１７に断面図として例示するように、戸１の気密を保持すべき箇所に縦方向に形成される凹溝３に可及的密に嵌着される本体４と、この本体４の一面に一体的に形成され相手側に弾性をもって接触して相手側との間に形成される隙間を埋めるためのシール部５とで構成されるブロック状のもので、戸１への取り付けには前記本体４を接着剤により凹溝３の内底部に接着して固定するようになされている。この接着には両面テープによることもある。
【０００６】
そして前記シール部５の表面は相手側とスムーズに摺接し得るようシリコーンウレタン系の材料によるコーティングが施されている。
【０００７】
しかるに上記従来から用いられているシール材では、戸１と相手側との間に形成される隙間の広さに対する順応性に乏しいうえ、スムーズな滑りを生じさせることが難しく、戸１の開閉が重くなるという問題点がある。
【０００８】
また凹溝３内にシール材２を嵌着させる際にその嵌着深さの微妙な調整がよりよい気密性を保つうえで必要な要件であるが、その取り付け時の調整に著しく手数を要するという問題がある。
【０００９】
さらにシール部５の表面に施されるコーティングは液状の材料を塗布して形成されるので、その表面と相手側との接触時にその面積が多くなり、「べた」っと接触して滑りが悪く、戸１の開閉が重くなる要因となっていた。
【先行技術文献】
【特許文献】
【００１０】
【特許文献１】特開２００５−８３１３１号公報
【考案の開示】
【考案が解決しようとする課題】
【００１１】
本考案は上記の点に鑑み、シール材の凹溝内への嵌着時にその嵌着深さを最適な状態に微調整することが簡単かつ確実に行え、シール部の突出量を気密性保持に最適値に設定することができること、および閉戸時の相手側との接触時に滑りをよくし、気密性を損なうことなしに戸の開閉が重くなることがないようにすることにある。
【課題を解決するための手段】
【００１２】
上記課題を解決する手段として本考案は、戸の開閉時に相手側に接触して隙間を埋め、気密性を保持するためのシール材であって、弾性および柔軟性を有する資材からなり、戸または相手側のいずれかに形成される凹溝内に可及的密に嵌着され戸の大きさに対応する長さを有する基部と、この基部に一体的に連接され気密を保つよう相手側に密接するシール部とで構成し、該シール部のシール面に滑面処理を施した構成としたことにある。
【００１３】
前記相手側としては、戸の形成によって異なるが、一般的には建屋の開口部の縦枠側面、建屋の壁面、引違い戸の場合の召し合わせ部などが相当する。
【００１４】
前記基部は複数枚のプレートを剥離可能に積層した積層構造とし、このプレートを剥離することにより基部の厚さを調整可能としてシール部の突出量を最適値に設定し得るようになされている。
【００１５】
前記基部を構成するプレートの接合面に長手方向に複数条の突状筋目を形成し、この突状筋目により接合することが剥がしやすくするうえで好ましい。
【００１６】
前記シール部は中空構造とすることが好ましく、またその外面の一側が低く、他側が高い傾斜形状とすることが相手側への接触の選択幅が増え、シールすべき隙間の変動に対応し、気密機能を高めるうえで好ましい。
【００１７】
前記シール部のシール面の滑面処理は、ポリウレタン系樹脂を塗着することによりなされ、そのシール面の摩擦係数は３．０以下とされる。この摩擦係数は好ましくは２．５以下、さらに好ましくは２．０以下とされる。
【考案の効果】
【００１８】
本考案によれば、戸を閉じたときその相手側との間に生じる隙間を埋めるシール材のシール部が隙間に弾性をもって介在し、その隙間を密封するので、閉戸時における気密性および遮音性を確実に保持することができ、冷暖房効果を損なうことがない。
【００１９】
シール材の基部を複数枚のプレートを積層した構成とすれば、シール材の取り付け箇所に応じ凹溝内に嵌着するときそのプレートを所要枚数剥離することにより埋設深さ位置を最適な状態に調整して嵌着することができ、一層気密性の保持効果を高めることができる。このときプレートの接合面に突状筋目を形成しておけばプレートを剥離させやすく、現場での作業性をよくすることができる。
【００２０】
前記シール部を中空構造とすれば、相手側とのなじみがよく、気密性の保持を一層良好なものとすることができ、そのシール部の外面形状を傾斜構造とすれば、相手側との接触位置が連続的に変化するので、隙間間隔の変動に対し追従していずれかの部位が接触し、気密保持効果をさらに高めることができる。
【００２１】
前記シール部の表面はポリウレタン系樹脂のコーティングによる滑面処理が施されており、そのコーティングによる表面は微細な粒子の配列により微小な凹凸の配列面となり、相手側との接触時における滑りがよく、無用な抵抗感を与えることがない。
【００２２】
上記滑面処理における摩擦係数は３．０以下とされるが、好ましくは２．５以下、さらに好ましくは２．０以下とすることにより、相手側との接触抵抗が少なく、戸の開閉が重くなることがない。
【図面の簡単な説明】
【００２３】
【図１】本考案の適用対象としての戸の一例を示す斜視図。
【図２】本考案による戸の気密保持用シール材の一実施形態を示す一部切欠斜視図。
【図３】図１のＡ−Ａ断面図。
【図４】図１のシール材を戸に取り付けた状態を示す断面図。
【図５】同シール材の基部の積層構造例を示す一部の斜視図。
【図６】同、シール材の取り付け箇所例を示す説明図。
【図７】同、他の取り付け箇所例を示す説明図。
【図８】同、さらに他の取り付け箇所例を示す説明図。
【図９】シール材の変形例を示す図６相当図。
【図１０】同、図７相当図。
【図１１】同、図８相当図。
【図１２】シール材の他の変形例を示す図９相当図。
【図１３】同、図１０相当図。
【図１４】同、図１１相当図。
【図１５】シール材のさらに他の取り付け箇所例を示す説明図。
【図１６】本考案によるシール材を回転ドアに適用した一例を示す説明図。
【図１７】従来のシール材を示す説明図。
【考案を実施するための形態】
【００２４】
図２は本考案によるシール材１０の一実施形態の一部切欠斜視図を、図３は同断面図を示しており、軟質合成樹脂、合成ゴム等の弾性を有する柔軟な資材により形成されるものであって、戸１の戸尻の縦方向に形成された凹溝１１内に嵌合する細長形状の基部１２と、この基部１２の一面に一体的に連設されたシール部１３とで構成されている。
【００２５】
前記基部１２は、前記凹溝１１内に嵌合させるに適する形状大きさを有する複数枚のプレート１４，１４…が積層された積層構造とされており、図４にみられるように最外面のプレート１４を戸１の凹溝１１の内底部１１ａに接着したときシール部１３の外表面のシール面１５が戸１の面１ｄより最適量突出した位置におかれるようになっている。もしシール部１３の突出量が大き過ぎるときは前記基部１２のプレート１４を剥離して厚みを変更させ、最適突出量になるようにする。
【００２６】
前記基部１２を構成するプレート１４，１４…は、図５に示すようにその接合面に複数条の突状筋目１６，１６…が形成されており、その突状筋目１６，１６…により互いに剥離可能に接着されている。したがって図４のように凹溝１１内に嵌合させる際のシール部１３の突出量の調整を行うときにプレート１４を剥がしやすくなされている。
【００２７】
前記基部１２とシール部１３との間の外側面には、凹溝１１の内側面に安定的に密嵌し得るよう所要数の逆止弁状のひれ１７，１７が突設されている。
【００２８】
前記シール部１３は中空状に形成され、膨出する外端面がシール面１５として機能するよう柔軟な構造とされており、そのシール面１５は滑面処理がなされている。
【００２９】
上記シール面１５の領域の外表面は、一側１５ａが低く、他側１５ｂが高くなるよう傾斜構造とされており、戸１と相手側との間に形成される隙間の変動に対しいずれかの箇所のシール面１５が相手側に密接して気密状態を保つようになっている。
【００３０】
前記シール面１５の滑面処理は、ポリウレタン系樹脂でコーティングすることによっている。このポリウレタン系樹脂は粒状をなし、表面は各粒子の配列で構成されるので相手側との接触面積が小さくなり、摩擦抵抗が小さく、その摩擦係数は３．０以下とされている。
【００３１】
なお上記摩擦係数は、好ましくは２．５以下、さらに好ましくは２．０以下とされる。
【００３２】
本考案で云う相手側としては、図６示の戸１（引戸）の場合、建屋の開口部の縦枠１８の側面、図７示の壁１９の面、図１に示した引違いの引戸の場合にはその召し合わせ部１ｃが対象となる。
【００３３】
また図８に示すように戸１の端部を建屋に設けた凹部２０に嵌合させて閉止状態とする対象の場合は、その凹部２０内の一側内面にシール材１０が設置される。
【００３４】
図９〜図１４は前記シール材のシール部１３の変形例を示すもので、図９〜図１１に示す形態はシール部１３の断面形状が中空円形状とされたものであり、図１２〜図１４に示す形態は舌片状のシール部１３とされたものである。
【００３５】
すなわち図９〜図１１に示す実施形態によれば、シール部１３が断面円形状であるから、戸１のいずれの方向への動きに対しても相手側に均等に接触するので常に隙間を確実に埋めることができる。
【００３６】
図１２〜図１４に示す実施形態によれば、舌片状のシール部１３が相手側に順応して変形しつつ摺接するので確実なシール効果を得ることができる。
【００３７】
上記いずれのシール材１０，１０においても、そのシール部１３，１３の外表面のシール面１５，１５が滑面処理されている点は前述の実施形態と同じである。
【００３８】
なお図６〜図８と共通する構成部分にはこれと同一符号を付すに留め、詳細説明は省略する。
【００３９】
図１５は引戸１の上端に設けた車輪２１を建屋の開口部の上框２２に水平に架設されたレール２３に懸架して開閉する構造の場合で、この戸１の上部側面に対向するようにシール材１０が設けられる。
【００４０】
図１６は回転扉２４の端部の気密性保持用とした場合の一例を示すもので、相手側となる壁２５の端部の枠体２６に凹溝１１が形成され、この凹溝１１内にシール材１０を嵌着してそのシール部１３が回転扉２４の端面の凸弯曲状をなす摺接面２６に密接して気密性を保持するようになされたものである。
【００４１】
上記ポリウレタン樹脂のコーティングによる滑面処理のデータの一例を下記に示す。
【００４２】
［試験方法］
ＪＩＳ  Ｋ７１２５（プラスチックフィルムおよびシートの摩擦係数試験方法に準拠）
試験片形状；長さ６３ｍｍ、試料現幅を２本並べて作成
滑り片質量；約２１０ｇ
試験速度；１００ｍｍ／ｍｉｎ
相手材；ＳＵＳ板
室温；２３℃
試料長手の方向を試験方向とした。
【００４３】
［試験結果］
静摩擦係数        動摩擦係数
試料        ０．２３          ０．２０
次に作用について説明する。
【００４４】
戸１または建屋側に設けられた凹溝１１内にシール材１０の基部１２を嵌合し、その基部１２を凹溝１１の内底部に接着して取り付ける。
【００４５】
このとき凹溝１１からシール部１３が突出しすぎるときは基部１２のプレート１４を１枚剥離して最適突出量になるよう調整を図る。
【００４６】
こうしてプレート１４を取り付けた戸１を開閉すると、その閉止時にシール材１０のシール部１３が自己の弾性により相手側になじむように変形しつつ密接し、これにより閉止時に生じる相手側との間の隙間が確実に埋められ、室内の気密性を確保することができる。
【００４７】
その際にシール材１０のシール部１３のシール面１５は滑面処理が施されているので相手側と摺接を開始したのちも抵抗が少なく、戸１の開閉動が重くなることがない。
【００４８】
特にポリウレタン系樹脂のコーティングによれば、シール面１５が微粒子の配列により滑面が構成されるので滑りが極めてよく、戸の開閉に無用な抵抗感を与えることがない。
【符号の説明】
【００４９】
１  戸
１ｃ  召し合わせ部
１０  シール材
１１  凹溝
１２  基部
１３  シール部
１４  プレート
１５  シール面
１６  突状筋目
１７  ひれ
【図１】
0003162947.tif 000003
【図２】
0003162947.tif 000004
【図３】
0003162947.tif 000005
【図４】
0003162947.tif 000006
【図５】
0003162947.tif 000007
【図６】
0003162947.tif 000008
【図７】
0003162947.tif 000009
【図８】
0003162947.tif 000010
【図９】
0003162947.tif 000011
【図１０】
0003162947.tif 000012
【図１１】
0003162947.tif 000013
【図１２】
0003162947.tif 000014
【図１３】
0003162947.tif 000015
【図１４】
0003162947.tif 000016
【図１５】
0003162947.tif 000017
【図１６】
0003162947.tif 000018
【図１７】
0003162947.tif 000019
【手続補正書】
【提出日】平成22年7月20日(2010.7.20)
【手続補正１】
【補正対象書類名】図面
【補正対象項目名】図１２
【補正方法】変更
【補正の内容】
【図１２】
0003162947.tif 000020
【手続補正２】
【補正対象書類名】図面
【補正対象項目名】図１３
【補正方法】変更
【補正の内容】
【図１３】
0003162947.tif 000021
【手続補正３】
【補正対象書類名】図面
【補正対象項目名】図１４
【補正方法】変更
【補正の内容】
【図１４】
0003162947.tif 000022